(57)【特許請求の範囲】
【請求項１】
軸筒の内部に少なくとも弾撥部材を構成要素とする芯繰り出し機構を有する中軸セットを摺動可能に配置した出没式のシャ−プペンシルであって、前記軸筒の側壁に窓孔を形成し、その窓孔に前記中軸セットを出没させ、また、芯繰り出し機構をも作動させるノック駒を配置するとともに、前記中軸セットの出・没状態を維持又は解除する係合・解除手段を配置し、その係合・解除手段の前方に前記弾撥部材を配置し、また、前記係合・解除手段を前記中軸セットに設けられているスライド部材の山形傾斜面と回転子の山形傾斜面との係合によって構成するか、或いは、回転子のハート型の溝と軸筒の突起との係合によって構成したことを特徴とするサイドノック式シャ−プペンシル。
【発明の詳細な説明】
【０００１】
【発明の属する技術分野】
本発明は、軸筒の内部に芯繰り出し機構を有する中軸セットを摺動可能に配置した出没式のシャ−プペンシルに関するものである。
【０００２】
【従来の技術】
１例として、実開昭５３−１５６６３９号公報がある。シャ−プペンシル本体の後端に配置されているノックカバ−を押圧せしめることによって芯繰り出し機構を有する内部機構を先端より突出せしめるとともに、また、ノックカバ−を押圧せしめることによって芯繰り出し機構を作動させ芯を繰り出すものである。
【０００３】
【発明が解決しようとする課題】
しかし、上記のような従来技術にあっては、筆記の時の把持方法と、内部機構を出没させる場合や芯を繰り出す場合の時との把持方法を変えなければならず、非常に煩わしいものであった。つまり、筆記の時には親指、人さし指、中指などでシャ−プペンシル本体を把持するのが、内部機構を出没させたり芯を繰り出したりするときには、親指でノックカバ−を押圧するために、他の４本の指でシャ−プペンシル本体を握るようになってしまうのである。ここに、シャ−プペンシル本体の「持ち直し」動作が発生する。
【０００４】
【課題を解決するための手段】
本発明は、上記問題点に鑑みてなされたものであり、軸筒の内部に少なくとも弾撥部材を構成要素とする芯繰り出し機構を有する中軸セットを摺動可能に配置した出没式のシャ−プペンシルであって、前記軸筒の側壁に窓孔を形成し、その窓孔に前記中軸セットを出没させ、また、芯繰り出し機構をも作動させるノック駒を配置するとともに、前記中軸セットの出・没状態を維持又は解除する係合・解除手段を配置し、その係合・解除手段の前方に前記弾撥部材を配置し、また、前記係合・解除手段を前記中軸セットに設けられているスライド部材の山形傾斜面と回転子の山形傾斜面との係合によって構成するか、或いは、回転子のハート型の溝と軸筒の突起との係合によって構成したことを要旨とするものである。
【０００５】
【実施例】
図１〜図５に第１例を示し説明する。軸筒１の側壁の中間部には、後方（以下、図中上方を後方という）が楕円形状に形成された透孔２が形成されており、その透孔２には、断面形状がコ字型で、後方が楕円形状に形成されたノック駒３が、前記軸筒１に対して垂直方向の径方向に移動可能に取り付けられている。
また、前記ノック駒３の押圧操作面部は、平面部３ａと隆起部３ｂとより構成されており、押圧操作する際のノック駒３の全体形状が確認できるようになっている。つまり、隆起部３ｂが押圧時の指のストッパ−となり、ノック駒３の中心部分を押圧できるようになっている。
更に、ノック駒３と軸筒１との押圧操作による位置関係は、図４に示すように、ノック駒３を押圧しきった際においても、軸筒１内に没入しないようになっている。具体的には、ノック駒３を押圧しきった際には、ノック駒３の平坦部３ａと軸筒１の外径の面とが同一になっている。
【０００６】
そのノック駒３の側壁４の中間部には、切欠き部５が形成されており、また、ノック駒３の側壁４の前端部には、前部傾斜面６が形成されている。そして、これら、切欠き部５と前部傾斜面６とによって形成されるノック駒３の側壁が第１の係合部７となっている。また、前記切欠き部５の後方面にも後部傾斜面８が形成されており、この後部傾斜面８とノック駒３の楕円形状の後端部９によって形成されるノック駒３の側壁が第２の係合部１０となっている。
符号１１は、ノック駒３の底面部の側面に形成された係合爪であり、軸筒１からの脱落を防止している。
【０００７】
前記軸筒１の前方には、コイルスプリングなどの弾撥部材１２によって後方に付勢された中軸セット１３が摺動自在に配置されており、その中軸セット１３の後方には、スライド部材１４が固定されている。そのスライド部材１４の中間部には、切欠き部１５が形成されており、その切欠き部１５より前方が、前記ノック駒３の第１の係合部７と係合する第１の係合受部１６となっている。その第１の係合受部１６の後端には、中間傾斜面１７が形成されており、前記第１の係合部７の前方傾斜面６と係合している。また、前記切欠き部１５より後方が、前記ノック駒３の第２の係合部１１と係合する第２の係合受部１８となっている。その第２の係合受部１８の後端には、後端傾斜面１９が形成されており、前記ノック駒３の第２の係合部１０の中間傾斜面８と係合している。
ここで、更に詳述すると、前記ノック駒３の第１の係合部７は、切欠き部１５に挟み込まれた状態で位置しており、また、第２の係合受部１８は、前記ノック駒３の第１の係合部７と第２の係合部１０により挟み込まれた状態で位置している。ノック駒３を押圧操作した際の、ノック駒３の回転を防止すると共に、各々の係合部に押圧力を分散させることにより押圧操作を行うための力を軽くしたのである。
【０００８】
前記スライド部材１４の後方には、軸筒１の内形と略同形の外形を有する芯受け部材２０が圧入されている。その芯受け部材２０の内側は、芯が落下しやすいようにロ−ト状に形成されており、そのロ−ト状部の下端には芯挿通孔が形成されている。この芯挿通孔の内径は、芯の外径と略同径である。つまり、芯受け部材２０を境に軸筒１の後方内側は、芯タンク部２１となっている。
一方、前記スライド部材１４の前端には、連続的に山形傾斜面２２が複数形成されている。また、その山形傾斜面２２の頂部に位置する外周面には、突起２３が形成されており、その突起２３の後端にも山形傾斜面２４が形成されている。
また、前記スライド部材１４の前方には、軸筒１内を摺動し、回転する回転子２５が配置されている。そして、その回転子２５の後端にも山形傾斜面２６の形成されており、前記スライド部材１４の山形傾斜面２２と係合し得るようになっている。さらに、回転子２５の外周面には、前記山形傾斜面に対して１つおきに突起２７が形成されており、その突起２７の後端は傾斜面２８となっている（図２参照）。
【０００９】
ここで、前記軸筒１のスライダ−部材１４より前方に位置する内面には、順に高さの高い縦突起２９、低い縦突起３０、高い縦突起２９、溝部３１、高い縦突起２９……が形成されており、それらの縦突起２９、３０の前端には傾斜面２９ａ、３０ａが形成されている。
【００１０】
次に、前記中軸セット１３について説明する。前記回転子２５の前方には、スプリング１２によって後方に付勢された外筒３２が当接した状態で配置されている。そして、その外筒３２の内側には、前端にチャックリング３３を被嵌したチャック体３４が固定され、後端がスライド部材１４に固定された芯案内部材３５が配置されている。云うまでもなく、前記チャック体３４は、芯の解放、把持を行なうものであり、チャックリング３３はチャック体３４の開閉を行なうものである。また、前記外筒３２の前端には、内部に芯戻り止め部材３６を内設した先部材３７が着脱自在に固定されている。
符号３８は、前記チャック体３４などを後方に付勢するコイルスプリングなどの弾撥部材である。
また、符号２８は、軸筒１の前端に着脱自在に固定された先部材である。
【００１１】
次ぎに、動作について説明する。図１の状態（中軸セット１３没状態）よりノック駒３を径方向に押圧すると、スライド部材１４が弾撥部材１２の弾撥力に抗して前進すると共に、回転子２５並びに中軸セット１３が前進する。この時前記回転子２５の突起２７は、縦溝３１を摺動しながら前進し、やがて縦突起２９の頂部（傾斜面２９ａ）に達する（図４参照）。そして、傾斜面２９ａに達したときに、回転子２７は傾斜面によって回転せしめられ、縦突起３０の傾斜面３０ａに回転・後退しながら導かれ当接する。これで、前記中軸セット１３が突出した状態となり、前記の当接により没入が阻止される（図５参照）。
次に、芯を繰り出す場合には、再度、前記ノック駒３を押圧する。この押圧操作は少なくて良い。そして、この少ない押圧操作によって、案内部材３５が前進すると共に、チャック体３４が前進・拡開し、芯が繰り出される。
【００１２】
ここで、前記中軸セット１３を軸筒１内に没入（収納）したい場合には、再度、前記ノック駒３を大きく押圧する。すると、前記スライダ−部材１４が回転子２５と中軸セット１３とを再び前進せしめ、やがて、回転子２５の突起２７は突起２９の傾斜面２９ａに達する。そしてこの時回転子２５は回転し、突起２７が溝３１と同軸上になり、弾撥部材１２によって後方に押し戻される。これで、中軸セット１３が没入状態となる。
【００１３】
第２例を図６、図７に示し説明する。中軸セット１３の出没手段を変えた例である。前記第１例では、一般的に称されているデビットカ−ン式の回転カム機構によって、中軸セットを出没させたが、この第２例においては、回転子３９の外周にハ−ト型の溝４０を形成すると共に、その溝４０に係合する突起４１を軸筒１の内面に形成してある。
中軸セット１３の没入状態からノック駒３を押圧すると、スライダ−部材１４が、前記回転子３９を前進せしめる。この回転子３９は、前進しながらも溝４０と突起４１との係合によって回転し、やがて、回転子３９の凹部４２が突起４１に係合する。これで、中軸セット１３の突出、後退防止がなされる。芯の繰り出し操作は、前記第１例と同様である。
【００１４】
第３例を図８に示し説明する。第１例のシャ−プペンシルの後端に繰り出し式の消しゴム４３を取り付けた例である。その繰り出し式の消しゴム４３は、軸筒１の後端に着脱自在に固定された棒状体案内部材４４や内面に螺旋溝４５が形成された外キャップ４６、並びに、螺旋溝４５に沿って上下動する消しゴム４７が取り付けられた消しゴム受け部材４８などから構成されている。軸筒１と外キャップ４６とを相対的に回転させると、消しゴム受け部材４８が上下動し、これに伴って消しゴム４７も上下動するというものである。
特に、この様に後端に消しゴムを配置しているシャ−プペンシルに対しては、サイドノック式のシャ−プペンシルは有効である。消しゴムに指を触れずしてノック操作が可能なためである。
【００１５】
第４例を図９〜図１４に示し説明する。第１例のシャ−プペンシルを、所謂、ノックバック式にした例である。チャック体３４の前方には、チャックリング３３が囲繞しており、そのチャッリング３３の前方には、チャックリング３３の前進を規制する段部４９が形成されている。これらの構成は、前記第１例と同様である。本例においては、その段部４９の前方であって芯戻り止め部材３８の後方に、弾撥部材５０によって後方に付勢した第２リング５１が配置されている（図９参照）。
この状態より、ノック操作を行うとチャック体３４は、芯を把持しながら前進し、やがて、チャックリング３３が前記段部４９に当接する（図１０参照）。さらに押圧操作を行うと、チャックリング３３の前進が規制されているため、チャック体３４が拡開し芯を開放する。ここで、ノック操作を解除すると、チャック体３４は、再び芯を把持し、芯の後退が阻止されることになる（図９参照）。
筆記終了後、芯を収納したい場合には、前記のノック操作を多く行う。ノック操作量を多くすることによって、チャック体３４が大きく前進する。そしてこの前進によって、チャック体３４の頭部が前記第２リング５１に嵌入し、芯を把持した状態となる（図１２参照）。この状態で、ノック操作を解除すると、チャック体３４は芯を把持したまま後退し、芯が収納される（図１３参照）。そして、チャック体３４は、途中、第２リング５１から開放させるが、最終的には、チャックリングによって閉鎖せしめられる（図１４参照）。
【００１６】
【発明の効果】
本発明は、軸筒の内部に少なくとも弾撥部材を構成要素とする芯繰り出し機構を有する中軸セットを摺動可能に配置した出没式のシャ−プペンシルであって、前記軸筒の側壁に窓孔を形成し、その窓孔に前記中軸セットを出没させ、また、芯繰り出し機構をも作動させるノック駒を配置するとともに、前記中軸セットの出・没状態を維持又は解除する係合・解除手段を配置し、その係合・解除手段の前方に前記弾撥部材を配置し、また、前記係合・解除手段を前記中軸セットに設けられているスライド部材の山形傾斜面と回転子の山形傾斜面との係合によって構成するか、或いは、回転子のハート型の溝と軸筒の突起との係合によって構成したので、筆記の時と同じ把持方法で中軸セットの出没、並びに、芯の繰り出し操作を行うことができる。
【図面の簡単な説明】
【図１】  本発明を示す１部外観縦断面図。
【図２】  図１の要部外観斜視図。
【図３】  図１の要部縦断面図。
【図４】  動作を示す縦断面図。
【図５】  動作を示す縦断面図。
【図６】  第２例を示す１部外観縦断面図。
【図７】  図７の要部外観斜視図。
【図８】  第３例を示す１部外観縦断面図。
【図９】  第４例を示す要部縦断面図。
【図１０】  図９の動作を示す要部縦断面図。
【図１１】  図９の動作を示す要部縦断面図。
【図１２】  図９の動作を示す要部縦断面図。
【図１３】  図９の動作を示す要部縦断面図。
【図１４】  図９の動作を示す要部縦断面図。
【符号の説明】
１      軸筒
２      透孔
３      ノック駒
３ａ    平坦部
３ｂ    隆起部
４      側壁
５      切欠き部
６      前部傾斜面
７      第１の係合部
８      後部傾斜面
９      後端部
１０    第２の係合部
１１    係合爪
１２    弾撥部材
１３    中軸セット
１４    スライド部材
１５    切欠き部
１６    第１の係合受部
１７    中間傾斜面
１８    第２の係合受部
１９    後端傾斜面
２０    芯受け部材
２１    芯タンク部
２２    山形傾斜面
２３    突起
２４    山形傾斜面
２５    回転子
２６    山形傾斜面
２７    突起
２８    傾斜面
２９    縦突起
３０    縦突起
３１    縦溝
３２    外筒
３３    チャックリング
３４    チャック体
３５    芯案内部材
３６    芯戻り止め部材
３７    先部材
３８    弾撥部材
３９    回転子
４０    溝
４１    突起
４２    凹部
４３    消しゴム
４４    棒状体案内部材
４５    螺旋溝
４６    外キャップ
４７    消しゴム
４８    消しゴム受け部材
４９    段部
５０    弾撥部材
５１    第２リング
【図１】
0003870476.tif 000002
【図２】
0003870476.tif 000003
【図３】
0003870476.tif 000004
【図４】
0003870476.tif 000005
【図５】
0003870476.tif 000006
【図６】
0003870476.tif 000007
【図７】
0003870476.tif 000008
【図８】
0003870476.tif 000009
【図９】
0003870476.tif 000010
【図１０】
0003870476.tif 000011
【図１１】
0003870476.tif 000012
【図１２】
0003870476.tif 000013
【図１３】
0003870476.tif 000014
【図１４】
0003870476.tif 000015